(57)【要約】【課題】使用後の防護服の湿気や臭いを簡便に除去し、着用者の不快感を緩和できる防護服用吸湿シート体を提供することにある。【解決手段】衣服用ハンガー２００に対して垂下状態で使用される防護服用吸湿シート体１００であって、第１の胴体部２０と、第２の胴体部３０と、肩部４０とを備え、第１の胴体部２０および第２の胴体部３０は、肩部４０を介して連結されており、第１の胴体部２０、第２の胴体部３０および肩部４０は、いずれも吸湿シートにより構成されている。【選択図】図１
2020063892.tif 000002
【特許請求の範囲】
【請求項１】
衣服用ハンガーに対して垂下状態で使用される防護服用吸湿シート体であって、
第１の胴体部と、第２の胴体部と、肩部とを備え、
前記第１の胴体部および第２の胴体部は、前記肩部を介して連結されており、
前記第１の胴体部、第２の胴体部および肩部は、いずれも吸湿シートにより構成されていることを特徴とする防護服用吸湿シート体。
【請求項２】
前記肩部は左右に可動する可動式である
請求項１に記載の防護服用吸湿シート体。
【請求項３】
前記第１の胴体部と前記第２の胴体部との間には、スぺーサが設けられている
請求項１または２に記載の防護服用吸湿シート体。
【請求項４】
前記スぺーサは、前記第１の胴体部および前記第２の胴体部の一方の裏面に設けられている
請求項３に記載の防護服用吸湿シート体。
【請求項５】
前記肩部の裏面であって、前記衣服用ハンガーと接触する部位には滑り止め部材が設けられている
請求項１〜４のいずれか一項に記載の防護服用吸湿シート体。
【請求項６】
前記吸湿シートは、２枚の基材シートの間に吸湿層が形成されてなる
請求項１〜５のいずれか一項に記載の防護服用吸湿シート体。
【請求項７】
前記吸湿層はシリカゲルを含有する
請求項６に記載の防護服用吸湿シート体。
【請求項８】
前記第１の胴体部および前記第２の胴体部の一方は、吸湿センサーを備えている
請求項１〜７のいずれか一項に記載の防護服用吸湿シート体。
【請求項９】
前記吸湿シートは、消臭機能を有する
請求項１〜８のいずれか一項に記載の防護服用吸湿シート体。
【請求項１０】
前記防護服は、放射線防護衣または防弾チョッキである
請求項１〜９のいずれか一項に記載の防護服用吸湿シート体。
【発明の詳細な説明】
【技術分野】
【０００１】
本発明は防護服用吸湿シート体に関し、詳しくはＸ線等の放射線から人体を防護する放射線防護衣や防弾チョッキ等の防護服の湿気や臭いを除去するための防護服用吸湿シート体に関する。
【背景技術】
【０００２】
近年、低侵襲治療の拡大に伴い放射線透視下での血管内治療数が増加している。それらの手技では被ばく防御のため、放射線遮蔽材で形成された放射線防護衣が必要不可欠である。
【０００３】
放射線防護衣は、鉛やバリウム、アンチモン等の重金属を素材としており、重く、通気性が全くないため、長時間着用すると防護衣内に多量の汗をかく。術後は汗が付着したままの防護衣をハンガーに掛け、収納することが多く、臭いやカビ等の要因となっており医療従事者を悩ませている。
【０００４】
通常、放射線防護衣は縫製品であり、縫い目から水や洗剤が入ると内側の遮蔽材が劣化するおそれがあるため、水洗いすることはできない。そのため、手入れとしてはアルコール清拭が推奨されているが、現実的には市販の消臭抗菌スプレー等を振りかける程度に留まっていることが多い。
【０００５】
そこで、放射線防護衣の着用時に生じる弊害を取り除くため、放射線防護衣と併用して着用することにより、放射線防護衣を長時間着用した場合にも汗の付着によるべとつき感や悪臭の発生を抑制し、着用者の不快感を緩和させることのできる放射線防護衣用アンダーウエア、及び放射線防護用着用体が提案されている（特許文献１）。
【０００６】
しかしながら、特許文献１に記載の放射線防護衣用アンダーウエアは、放射線防護衣の下に着用するものであるため、嵩張り、手術中の作業性が悪いという課題がある。
【先行技術文献】
【特許文献】
【０００７】
【特許文献１】実用新案登録第３１４４５７９号公報
【発明の概要】
【発明が解決しようとする課題】
【０００８】
本発明は、上記の課題に鑑み、使用後の防護服の湿気や臭いを簡便に除去し、着用者の不快感を緩和できる防護服用吸湿シート体を提供する。
【課題を解決するための手段】
【０００９】
本発明の一態様に係る防護服用吸湿シート体は、衣服用ハンガーに対して垂下状態で使用される防護服用吸湿シート体であって、第１の胴体部と、第２の胴体部と、肩部とを備え、前記第１の胴体部および第２の胴体部は、前記肩部を介して連結されており、前記第１の胴体部、第２の胴体部および肩部は、いずれも吸湿シートにより構成されていることを特徴としている。
【発明の効果】
【００１０】
本発明の一態様に係る防護服用吸湿シート体は、使用後の防護服の湿気や臭いを簡便に除去し、着用者の不快感を緩和することができる。
【図面の簡単な説明】
【００１１】
【図１】本発明の実施形態に係る防護服用吸湿シート体の正面図である。
【図２】本実施形態に係る防護服用吸湿シート体を衣服用ハンガーに吊下げた状態を示す写真である。
【図３】本実施形態に係る防護服用吸湿シート体を展開した状態の裏面を示す。
【図４】本発明の実施形態に係る防護服用吸湿シート体の吸湿シートの概略構成を示す断面図である。
【発明を実施するための形態】
【００１２】
＜概要＞
本発明の一態様に係る防護服用吸湿シート体は、衣服用ハンガーに対して垂下状態で使用される防護服用吸湿シート体であって、第１の胴体部と、第２の胴体部と、肩部とを備え、前記第１の胴体部および第２の胴体部は、前記肩部を介して連結されており、前記第１の胴体部、第２の胴体部および肩部は、いずれも吸湿シートにより構成されていることを特徴としている。これによれば、使用後の防護服の湿気や臭いを簡便に除去し、着用者の不快感を緩和することができる。
【００１３】
また、本発明の一態様に係る防護服用吸湿シート体において、前記肩部は左右に可動する可動式である。これによれば、防護服用吸湿シート体を衣服用ハンガーに吊下げた際に、衣服用ハンガーの形状に適応して肩部が左右に可動するため、肩部と衣服用ハンガーとが密着し、防護服用吸湿シート体の滑り落ちを防ぐことができる。
【００１４】
さらに、本発明の一態様に係る防護服用吸湿シート体において、前記第１の胴体部と前記第２の胴体部との間には、スぺーサが設けられている。これにより、防護服用吸湿シート体を衣服用ハンガーに吊下げた際に、胴体部同士が直接触れることがなく、胴体部間に空気の層が形成されるため、吸湿性がさらに向上する。
【００１５】
また、本発明の一態様に係る防護服用吸湿シート体において、前記スぺーサは、前記第１の胴体部および前記第２の胴体部の一方の裏面に設けられている。スぺーサは第１の胴体部および第２の胴体部の何れか一方のみに設けるだけでよいので、部品点数も少なく構造を簡略化できる。
【００１６】
さらに、本発明の一態様に係る防護服用吸湿シート体において、前記肩部の裏面であって、前記衣服用ハンガーと接触する部位には滑り止め部材が設けられている。これにより、防護服用吸湿シート体を衣服用ハンガーに吊下げた際に、防護服用吸湿シート体の肩部と、衣服用ハンガーとがより密着し、防護服用吸湿シート体の滑り落ちをさらに防ぐことができる。
【００１７】
また、本発明の一態様に係る防護服用吸湿シート体において、前記吸湿シートは、２枚の基材シートの間に吸湿層が形成されてなる。これにより、防護服用吸湿シート体の吸湿性が向上する。
【００１８】
さらに、本発明の一態様に係る防護服用吸湿シート体において、前記吸湿層はシリカゲルを含有する。これにより、防護服用吸湿シート体の吸湿性がさらに向上する。
【００１９】
また、本発明の一態様に係る防護服用吸湿シート体において、前記第１の胴体部および前記第２の胴体部の一方は、吸湿センサーを備えている。吸湿センサーの変色によって吸湿の具合が大きくなったと判断すれば、天日干しなどの手段を用いて、色の変化を参考に乾燥させることができる。防護服用吸湿シート体は、天日に干すと吸湿シートの吸湿機能が再生するため、繰り返し使用することができる。
【００２０】
さらに、本発明の一態様に係る防護服用吸湿シート体において、前記吸湿シートは、消臭機能を有する。これにより、体からでるイヤな臭い（汗の臭い・加齢臭）である酢酸ガス・ノネナールガスにわずか数十分で大きな消臭効果を発揮することができる。
【００２１】
また、本発明の一態様に係る防護服用吸湿シート体において、前記防護服は、放射線防護衣または防弾チョッキである。放射線防護衣や防弾チョッキは、特に長時間着用すると多量の汗をかきやすいため、吸湿効果が大きい。
【００２２】
＜実施形態＞
以下に本発明の一態様である防護服用吸湿シート体について、図面を参照しながら詳細に説明する。なお、本発明は、以下の実施形態に限定されるものではない。
【００２３】
図１は、本実施形態に係る防護服用吸湿シート体の正面図である。図２は、本実施形態に係る防護服用吸湿シート体を衣服用ハンガーに吊下げた状態を示す写真である。図３は、本実施形態に係る防護服用吸湿シート体を展開した状態の裏面を示す。
【００２４】
なお、以下、図面において、矢印ＵＰの方向は上方向、矢印ＤＮの方向は下方向、矢印Ｌの方向は左方向、矢印Ｒの方向は右方向をそれぞれ示す。
【００２５】
１．全体構成
主に、図１〜図３を用いて説明する。
本実施形態の防護服用吸湿シート体１００は、前後２つの胴体部２０，３０と、左右の肩部４０とを備えている。
【００２６】
本実施形態の防護服用吸湿シート体１００は、衣服用ハンガー２００に対して垂下状態で使用される。つまり、左右の肩部４０が衣服用ハンガー２００に引っ掛けられる。衣服用ハンガー２００に吊下げた防護服用吸湿シート体１００の上から放射線防護衣等の防護服を掛けると、防護服用吸湿シート体１００の胴体部２０，３０の表面と、防護服の裏面とが密着し、防護服の湿気や臭いを除去することができる。
【００２７】
２．胴体部
主に、図１〜図３を用いて説明する。
前後２つの胴体部２０，３０は、左右の肩部４０によって着脱可能に連結されている。
【００２８】
胴体部２０，３０は、五角形（いわゆるホームベース形）のシート形状である。前後２つの胴体部２０，３０は、後述するスぺーサ５０及びベルト６０を除き、略同様の形状である。
【００２９】
胴体部２０，３０は、吸湿シート１により構成されている。吸湿シートの外周は、後述するシリカゲルの脱落防止等の観点から、縁加工され襠（まち）２１，３１が設けられている。襠２１，３１の幅は、０．５〜１０ｍｍ程度である。襠２１，３１は、ポリエステル樹脂で形成されているが、吸湿シート１と同様の材質で形成してもよい。
【００３０】
２−１．スぺーサ
主に図３を用いて説明する。
前後２つの胴体部２０，３０の一方の胴体部（ここでは胴体部２０）の裏面であって下方側には、３個のスぺーサ５１，５２，５３（５０）が接着されている。これにより、本実施形態の防護服用吸湿シート体１００を衣服用ハンガー２００に吊下げた際に、胴体部２０，３０同士が直接触れることがなく、胴体部２０，３０間に空気の層が形成されるため、吸湿性がさらに向上する。
【００３１】
３個のスぺーサ５１，５２，５３（５０）は二等辺三角形の頂点に位置するように設けられている。２個のスぺーサ５１，５２は二等辺三角形の底辺の左右の底角をなす頂点の位置に設けられ、残りの１個のスぺーサ５３は二等辺三角形の頂角をなす頂点に位置するように設けられている。頂角側のスぺーサ５３は、胴体部２０の下方、すなわち五角形（ホームベース形）の頂点側に設けられている。
【００３２】
スぺーサ５０の形状は、特に限定はないが、ここでは立方体形状であり、寸法は縦３ｃｍ×横３ｃｍ×高さ２ｃｍである。スぺーサ５０の高さが低すぎると、防護服用吸湿シート体１００を衣服用ハンガー２００に吊下げた際に、胴体部２０，３０間に空気の層ができにくくなり、吸湿性が悪くなる傾向がみられる。逆に、スぺーサ５０の高さが高すぎると、防護服用吸湿シート体１００を衣服用ハンガー２００に吊下げた際に、胴体部２０，３０間の間隔が広くなりすぎ嵩張る傾向がみられる。
【００３３】
スぺーサ５０の接着手段については特に限定はないが、ここではポリオレフィン系の両面接着テープを使用している。
なお、他方の胴体部３０の裏面にはスぺーサ５０は接着されていない。
【００３４】
２−２．ベルト
主に図３を用いて説明する。
スぺーサ５０が接着された方の胴体部２０の左右両側には、短い帯状のベルト６０がボタン７１（７０）を介して取り付けられている。
【００３５】
なお、ベルト６０の材質は特に限定はなく、例えば、ポリエステル、ポリエチレン等の樹脂があげられる。
【００３６】
ベルト６０の他端側にも、ボタン７２（７０）が取り付けられており、ベルト６０が取り付けられていない方の胴体部３０には、ボタン７２（７０）と勘合するボタン７１（７０）が取り付けられいる。これにより、本実施形態の防護服用吸湿シート体１００を衣服用ハンガー２００に吊下げた際に、胴体部２０，３０が広がらないようになっている。
【００３７】
２−３．ボタン
主に図３を用いて説明する。
ボタン７０の材質は特に限定はなく、例えば樹脂製（プラスチック製）、金属製、木製等があげられるが、コスト等の点から樹脂製が好ましい。
【００３８】
また、ボタン７０の形状も特に限定はなく、例えば丸形、四角形、花形、平形、ドーム形等があげられるが、丸形が好ましい。
【００３９】
３．肩部
主に図３を用いて説明する。
肩部４０は長方形のシート形状であり、吸湿シート１により構成されている。吸湿シート１の外周は、後述するシリカゲルの脱落防止等の観点から、縁加工され襠（まち）４１が設けられている。襠４１の幅は、０．５〜１０ｍｍ程度である。襠４１は、ポリエステル樹脂で形成されているが、吸湿シート１と同様の材質で形成してもよい。左右の肩部４０は、同様の形状である。
【００４０】
各肩部４０は、長手方向両端側のボタン７３（７０）を介して胴体部２０，３０にそれぞれ取り付けられている。すなわち、肩部４０はボタン７３を介して胴体部２０，３０の右上側と左上側にそれぞれ取り付けられている（図１，２参照）。
【００４１】
各肩部４０の端部は１個のボタン７３により胴体部２０，３０に取り付けられているため、ボタン７３を支点に左右方向に若干可動する（図２参照）。つまり、肩部４０はボタン７３を軸として回転可能に取り付けられる。これにより、本実施形態の防護服用吸湿シート体１００を衣服用ハンガー２００に吊下げた際に、衣服用ハンガー２００の形状に適応して肩部４０が左右に可動するため、肩部４０と衣服用ハンガー２００とが密着し、防護服用吸湿シート体１００の滑り落ちを防ぐことができる。
【００４２】
３−１．ゴムパッド
主に図３を用いて説明する。
肩部４０の裏面中央（衣服用ハンガー２００と接触する部位）には、ゴムパッド４２が接着されている。これにより、本実施形態の防護服用吸湿シート体１００を衣服用ハンガー２００に吊下げた際に、防護服用吸湿シート体１００の肩部４０と、衣服用ハンガー２００とがより密着し、防護服用吸湿シート体１００の滑り落ちをさらに防ぐことができる。
【００４３】
４．吸湿シート
図４は、本発明の実施形態に係る防護服用吸湿シート体１００の吸湿シート１の概略構成を示す断面図である。
【００４４】
吸湿シート１は可撓性で通気性を備え、内部に吸湿機能を有する材料を備えている。
【００４５】
吸湿シート１は、例えば、図４に示すように、基材シート１２と基材シート１３とが重ね合わせられ、その重ね合わせられた面１４，１５同士の間に、多数の粒状をなすシリカゲル１６が挟持されて吸湿層１１が形成されている。
【００４６】
吸湿シート１は、例えば、基材シート１２と基材シート１３との間に、多数の粒状をなすシリカゲル１６を挟み、縫合や熱溶着などにより固定して吸湿層１１を形成することにより作製することができる。
【００４７】
４−１．基材シート
基材シート１２，１３は、特に限定はないが、通気性を備え、空気や湿分を透過可能なものが好ましく、例えば不織布、織布、編物などが用いられる。
【００４８】
基材シート１２，１３の材質としては、例えば、ポリエチレンテレフタレート（ＰＥＴ）などのポリエステル樹脂、ポリプロピレン樹脂などの合成樹脂、レーヨンなどが使用できる。
【００４９】
基材シート１２はウェブ１７の集合体であり、同じく基材シート１３はウェブ１８の集合体である。
【００５０】
４−２．吸湿層
吸湿層１１の材質は、吸湿機能を有するものであれば特に限定はなく、例えば、シリカゲルや、ゼオライト、トルマリンなどの天然多孔石、備長炭などの炭材や活性炭、パーライト、ケイ酸ソーダなどが挙げられる。これらは単独でもしくは２種以上併用することができる。これらのなかでも、吸湿機能や消臭機能に優れ、即効性がある点でシリカゲルが好適に用いられる。シリカゲルは水分の他に空気中に飛散する臭いの元であるアンモニア、トリメチルアミン、硫化水素、メルカプタンや、加齢臭の原因となるノネナールガスなども吸着し消臭機能をも有する。
【００５１】
吸湿層１１は、図４に示すように、基材シート１２，１３間において層状をなし、基材シート１２，１３の対向面１４，１５間に全体に亘り均一に分布してなる多数のシリカゲル１６の集合体である。シリカゲル１６を上下両側から矜持した状態において、基材シート１２，１３の対向面１４，１５は、図４において拡大して示すように、基材シート１２，１３の構成素材であるウェブ１７，１８により互いに縫合されている。
【００５２】
シリカゲル１６を固定するために、基材シート１２と基材シート１３との重合部分にはシリカゲル１６を上下両側から挟持した状態においてニードルパンチが複数箇所に亘って施されている。すなわち各ニードルパンチの箇所において基材シート１２と基材シート１３のウェブ１７，１８同士が機械的に絡み合うことにより、その絡み合った各箇所付近に基材シート１２と基材シート１３とが接合され固定されている。これにより、ウェブ１７，１８により対向面１４と対向面１５との間が縫合された基材シート１２と基材シート１３にてシリカゲル１６は層状をなしたまま移動不能に挟着保持されている。
【００５３】
シリカゲル１６の粒は、多数の微細貫通孔を備えており、高湿度雰囲気下では表面吸着又は毛細管現象により空気中の水分を吸収し、乾燥雰囲気下では吸収した水分を放出し得る機能を有している。そのため、かかる吸湿機能及び放湿機能を良好にするべく、本実施形態におけるシリカゲル１６には微細空間容積が０．５〜１．０ｍｌ／ｇ及び表面積が６５０〜３５０ｍ２／ｇの範囲内にあるものが採用されている。
【００５４】
また、微細貫通孔の孔径は３０〜１２０オングストロームのものが吸湿機能などを良好に発揮する上で好ましい。
【００５５】
このように、多数のシリカゲル１６の粒が基材シート１２と基材シート１３とに挟持されることで、高い吸湿性、防湿性、消臭性を長時間に亘って保つことができる。
【００５６】
５．吸湿センサー
主に図２を用いて説明する。
胴体部２０の上部中央には吸湿センサー９０が設けられている。吸湿センサー９０は、例えば塩化コバルトを表面に所定量塗布したものである。塩化コバルトが無水の場合は青色であり、雰囲気中の湿度が増して二水和物となると紫色になり、さらに湿度が増えると六水和物となって桃色となる。この変色を人が視認することで吸湿の度合いを知ることができる。吸湿センサーの変色によって吸湿の具合が大きくなったと判断すれば、天日干しなどの手段を用いて、色の変化を参考に乾燥させることができる。防護服用吸湿シート体１００は、天日に干すと吸湿シートの吸湿機能が再生するため、繰り返し使用することができる。なお、乾燥の際は、乾燥機の使用は避けて、空調の中や風通しの良い場所で乾燥させることが好ましい。
【００５７】
本実施形態の防護服用吸湿シート体は、吸湿効果に優れるため、Ｘ線等の放射線から人体を防護する放射線防護衣や防弾チョッキ等の防護服の湿気や嫌なニオイを取り除くことができ、防護服をサラットすることができる。また、体からでるイヤな臭い（汗の臭い・加齢臭）である酢酸ガス・ノネナールガスにわずか数十分で大きな消臭効果を発揮することができる。また、シリカゲルの調湿機能によりカビやダニの発生を防ぐこともできる。また、本実施形態の防護服用吸湿シート体は、立体的形状でしかも型崩れしにくい。
【００５８】
＜変形例＞
以上、一実施形態に係る防護服用吸湿シート体を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００５９】
１．胴体部
実施形態の胴体部２０，３０は、五角形状（ホームベース形）であるが、特に限定はなく、例えば四角形状、三角形状等であっても差し支えない。
【００６０】
また、胴体部２０，３０は、縁加工された襠（まち）２１，３１を有するが、省略してもよい。
【００６１】
２．肩部
実施形態の肩部４０は可動式であるが、固定式であっても差し支えない。
なお、肩部４０はボタン７３で取り付けたが、縫製などで取り付けてもよい。
【００６２】
また、肩部４０は、縁加工された襠（まち）４１を有するが、省略してもよい。
【００６３】
なお、実施形態では胴体部２０，３０と肩部４０は別体であったが、一体で設けてもよい。
【００６４】
３．滑り止め部材
肩部４０の裏面であって、衣服用ハンガー２００と接触する部位に設けたゴムパッド４２は滑り止め部材の一例であるが、これに限定されるものではない。なお、滑り止め部材は省略しても差し支えない。
【００６５】
４．ベルト
実施形態ではベルト６０を設けたが、省略してもよい。
【００６６】
５．ボタン
実施形態では、ボタン７２とボタン７１とは互いに勘合するスナップボタンを使用しているが、面ファスナー等を使用してもよい。
【００６７】
５．スぺーサ
スぺーサ５０の数は３個に限定されず、１個、２個、もしくは４個以上であっても差し支えない。
【００６８】
また、スぺーサ５０は立方体形状に限定されず、球状等であっても差し支えない。
【００６９】
さらに、複数のスぺーサ５０は同じ形状に限定されず、異なる形状の組み合わせであってもよい。
【００７０】
７．吸湿シート
吸湿層１１を構成するシリカゲル１６の固定は、ニードルパンチに限定されず、ホットメルト加工であってもよい。例えば、２枚の基材シートの間に粒状のシリカゲルを挟み込み、２枚の基材シートをエチレン酢酸ビニルなどの熱可塑性プラスチックを接着剤としてホットメルト加工することによって形成してもよい。
【００７１】
８．吸湿センサー
吸湿センサー９０は一方の胴体部２０に設けたが、他方の胴体部３０に設けてもよい。また、吸湿センサー９０を設ける位置については特に限定はないが、視認性の点から、胴体部２０（３０）上部側に設けることが好ましい。
なお、吸湿センサー９０は必須ではなく、省略しても差し支えない。
【００７２】
９．衣服用ハンガー
実施形態の衣服用ハンガー２００は、弧を描くような湾曲した形状であるが、防護服用吸湿シート体を吊り下げることができるものであれば特に限定はなく、一直線のフラットなタイプの形状や、「く」の字のように屈折した形状のもの等であっても差し支えない。
【００７３】
１０．防護服
実施形態の防護服は、放射線防護衣や防弾チョッキに限定されず、例えば、ライフジャケット、バイク用エアバック等にも使用することができる。
【００７４】
１１．放射線防護衣
衣服用ハンガー２００に吊下げた防護服用吸湿シート体１００の上に掛ける放射線防護衣の種類は特に限定はなく、例えばエプロンタイプ、フルコートタイプ、ベストタイプ、スカートタイプ等に適用可能である。
【符号の説明】
【００７５】
１  吸湿シート
２０  胴体部
３０  胴体部
４０  肩部
１００  防護服用吸湿シート体
２００  衣服用ハンガー
【図１】
2020063892.tif 000003
【図２】
2020063892.tif 000004
【図３】
2020063892.tif 000005
【図４】
2020063892.tif 000006